(57)【要約】  【課題】本発明は、放送電波受信装置において、プリント配線回路基板（以下、「ＰＣＢ基板（PRINTED CIRCUIT BOARD）」という。）や部品の厚みをできるだけ抑え、かつ、十分な基板強度を確保することを主たる技術的課題とする。  【解決手段】本発明に係る放送電波受信装置は、ホストコントローラ２１とデジタル信号処理部（バックエンド部）２２とを具備するホスト機器２０と接続され、前記ホストコントローラ２１の外部バスインターフェースを通じてデータを通信する放送電波受信装置１０であって、カードコントローラ１１と放送電波を受信するための受信回路（フロントエンド部）１８とを備えており、前記カードコントローラ及び前記受信回路を形成する部品を実装した第１のプリント配線回路基板４１と、外部バスインターフェース端子５１及び平面アンテナ５２を実装した第２のプリント配線回路基板４２とを貼り合わせた構成とする。【選択図】        図５
2008038756.tif 000002
【特許請求の範囲】
【請求項１】
ホストコントローラとデジタル信号処理部とを具備するホスト機器と接続され、前記ホストコントローラの外部バスインターフェースを通じてデータを通信する放送電波受信装置であって、
カードコントローラと放送電波を受信するための受信回路とを備えており、前記カードコントローラ及び前記受信回路を形成する部品を実装した第１のプリント配線回路基板と、外部バスインターフェース端子及び平面アンテナを実装した第２のプリント配線回路基板とを貼り合わせてなることを特徴とする放送電波受信装置。
【請求項２】
前記受信装置は外部アンテナを接続するための外部アンテナ接続コネクターを具備していることを特徴とする請求項１記載の放送電波受信装置。
【請求項３】
前記外部バスインターフェースはＳＤＩＯ又はＵＳＢであることを特徴とする請求項１又は２記載の放送電波受信装置。
【請求項４】
前記受信回路は地上波デジタル放送受信回路であることを特徴とする請求項１乃至３のいずれか１項に記載の放送電波受信装置。
【請求項５】
前記カードコントローラが更にメモリーインターフェースを備えていると共に、前記メモリーインターフェースにメモリーデバイスが接続され、これによって前記受信回路において受信したデータを記録することができることを特徴とする請求項１乃至４のいずれか１項に記載の放送電波受信装置。
【請求項６】
前記メモリーデバイスは、カード型のデバイスであって、前記放送電波受信装置から挿脱可能であることを特徴とする請求項５記載の放送電波受信装置。
【請求項７】
前記第１のプリント配線回路基板はその中央部に部品搭載禁止領域が設けられ、その両側に離間して部品が実装されていることを特徴とする請求項１乃至６のいずれか１項に記載の放送電波受信装置。
【請求項８】
前記第１のプリント配線回路基板４１と前記第２のプリント配線回路基板４２の接合部分が、前記第１の基板の長手方向中央部を垂直に横切る応力線（Ｘ−Ｘ）の両側に設けられていることを特徴とする請求項７記載の放送電波受信装置。
【請求項９】
前記第２のプリント配線基板は曲げ応力が集中する中央部に実装部品が設けられ、前記実装部品と同程度の拡幅領域が設けられていることを特徴とする請求項１乃至６のいずれか１項に記載の放送電波受信装置。
【発明の詳細な説明】
【技術分野】
【０００１】
本発明は、ノート型パソコンやＰＤＡ（Personal Digital Assistant）等の各種携帯情報端末に接続することにより、ワンセグやＦＭラジオなどの放送電波を受信することを可能にする放送電波受信装置に関するものである。
【背景技術】
【０００２】
一般に、ホスト機器（携帯情報端末等）と接続することにより外部バスインターフェースを通じて各種のデータ（制御信号及びデータ等）を通信するカード（周辺機器）は、ホスト機器側とカード側（周辺機器側）のそれぞれに制御チップが設けられ、両者が互いにコマンドやデータを通信する。なお、本明細書では、ホスト機器側の制御チップを「ホストコントローラ」、カード側（周辺機器側）の制御チップを「カードコントローラ」又は「デバイスコントローラ」という。【０００３】
従って、カードコントローラに、各種の機能モジュール（例えばフラッシュメモリー、放送電波受信機能、無線通信機能等）を接続することで、ホスト機器に新たな機能を付加することができる。【０００４】
近時、「１ｓｅｇ（ワンセグ）」と呼ばれる携帯端末向け地上デジタル放送が開始され、ワンセグ専用の受信端末があれば地上デジタルテレビ放送のエリア内ではいつでもテレビ放送の視聴が可能となっている。
また、DVB-H（Digital Video Broadcasting for Handheld）と呼ばれる、携帯電話向けのデジタル放送規格なども策定され、携帯電話などに接続して受信するカードタイプの受信装置を利用したデジタル放送配信システムは世界各国で急速に普及しつつある。【０００５】
ワンセグの問題点の一つは、放送電波が非常に微弱であるため、トンネル・地下・建物の中などの電波の届きにくい場所では、放送エリア内であっても十分な受信感度が得られないという点にある。現在市販されているワンセグ受信端末は、携帯電話のほか、ＵＳＢ（ユニバーサル・シリアル・バス）端子などの外部インターフェースに接続するカード型のワンセグチューナーが知られているが、カード型機器本体に、いずれも約６ｃｍ〜８ｃｍ程度のロッドアンテナ（ホイップアンテナ）が設けられている。【０００６】
なお、ワンセグに関する言及はないものの、情報端末装置に接続するカード型の受信装置（カード型機器）にアンテナが設けられていると外観が損なわれたり、携帯性、操作性などに不都合を与えることから、カードの接続先である情報端末装置側にアンテナを搭載することで、カード型機器にアンテナを不要とする技術が知られている（特許文献１）。【０００７】
【特許文献１】特開２００５−２５２３８６号公報
【発明の開示】
【発明が解決しようとする課題】
【０００８】
ところで、ホスト機器の外部バスインターフェースに接続する周辺機器のうち、カード型のものは、スロットの幅や厚み或いは端子のピッチ等が規格により定められているため、筐体設計の自由度が制限されているが、長さ方向については特に制限がない。しかし、一般に、筐体が長くなるほど応力に弱くなり、十分な機械的強度が得られにくいという性質がある。このため、ワンセグやＦＭラジオ等のようなアンテナを必要とする機能を設ける際には、どのようにアンテナを取付けるかということが常に問題となる。【０００９】
上述したロッドアンテナ（ホイップアンテナ）を周辺機器の筐体に取付ける構造は外観性、携帯性、操作性が悪いという問題に加えて、上述した機械的強度の問題がある。従って、機能的及び美観的に洗練された形状を実現するためには、これらの諸問題を総合的に勘案した設計が求められる。【００１０】
例えば、ＳＤＩＯ（Secure Digital Input Output）カードにワンセグチューナーの機能を付加すれば、ＳＤバススロットを備えたホスト機器（例えば、ノート型パソコンや携帯情報端末等）にワンセグの受信機能を持たせることができるが、小さな筐体のＳＤＩＯカードにワンセグの受信機能を実現するためのモジュールやアンテナを設けるためには、装置の筐体、特に内部のプリント配線回路基板（以下、「ＰＣＢ基板（PRINTED CIRCUIT BOARD）」という。）の十分な機械的強度を確保することが必要となる。
また、ＵＳＢのように、コネクタの形状が規格により定められているものについても、できるだけコンパクトでかつ十分な機械的強度を確保することが好ましい。【００１１】
本発明は、周辺機器としてホスト機器に接続して使用する放送電波受信装置において、ＰＣＢ基板や部品の厚みをできるだけ抑えつつ、十分な機械的強度を確保することを主たる技術的課題とする。
【課題を解決するための手段】
【００１２】
本発明に係る放送電波受信装置は、ホストコントローラ２１とデジタル信号処理部（バックエンド部）２２とを具備するホスト機器２０と接続され、前記ホストコントローラ２１の外部バスインターフェースを通じてデータを通信する放送電波受信装置１０であって、カードコントローラ１１と放送電波を受信するための受信回路（フロントエンド部）１８とを備えており、前記カードコントローラ及び前記受信回路を形成する部品を実装した第１のプリント配線回路基板４１と、外部バスインターフェース端子５１及び平面アンテナ５２を実装した第２のプリント配線回路基板４２とを貼り合わせてなることを特徴とする。【００１３】
本発明に係る放送電波受信装置は内部に高感度の平面アンテナを備えているため、従来のようにロッドアンテナ等を外部に備える必要がない。そのため外観を損なわず、利便性が高められるとともに装置の筐体、特に内部の機械的強度が確保される。なお、「平面アンテナ」とは、線状のパターンアンテナ、閉ループのアンテナ（ループアンテナ）、及び表面実装チップアンテナなどを含む意である。【００１４】
また、前記受信装置は外部アンテナを接続するための外部アンテナ接続コネクター（または、「ＲＦ同軸コネクタースイッチ」ともいう。）３１を具備していることが好ましい。屋内で使用する場合など、外部アンテナを利用できるときは、必要に応じて外部アンテナ接続コネクター３１に外部アンテナを接続することができ、これによって安定して放送電波を受信することができるからである。【００１５】
なお、前記外部バスインターフェースはＳＤＩＯ又はＵＳＢ、また、前記受信回路は地上波デジタル放送受信回路として構成することができる。【００１６】
また、前記カードコントローラが更にメモリーインターフェースを備えていると共に、前記メモリーインターフェースにメモリーデバイスが接続され、これによって前記受信回路において受信したデータを記録することができるように構成しても良い。この場合、特に、前記メモリーデバイスは、カード型のデバイスであって、前記放送電波受信装置から挿脱可能であることが好ましい。このような構成によると、必要に応じて新しいメモリーカードに記録できるため、放送電波を視聴するという機能に加えて記録又は再生機能が付加されることで利便性が高められる。【００１７】
また、第１のプリント配線回路基板４１に部品を実装する場合は、長手方向の中央部（またはその近傍を含む）に部品搭載禁止領域Ｉを設け、その両側に離間して部品が実装されていることが好ましい。装置本体の長手方向の中央部及びその近傍は脆弱部にあたり曲げ応力が集中し易いので、このように実装すると、脆弱部近傍の実装部品にストレスがかかることを防止できるからである。【００１８】
この場合、前記第１のプリント配線回路基板４１と前記第２のプリント配線回路基板４２の接合部分が、前記第１の基板の長手方向中央部を垂直に横切る応力線（Ｘ−Ｘ）の両側に設けられていることが好ましい。【００１９】
一方、部品の多くがチップ化されて部品点数が少なくなってくると、回路配置の自由度が無くなってくる場合がある。このように、実装上の都合から、部品搭載禁止領域を設けることができない場合もある。このような場合、前記実装部品と同程度の拡幅領域が設けられているように構成してもよい。このような構成によると曲げ応力が分散され、より一層の基板強度を高めることができる。
【発明を実施するための最良の形態】
【００２０】
（第１の実施形態）
本発明に係る放送電波受信装置の一例として、ＳＤＩＯカードにワンセグ（携帯端末向け地上デジタル放送）を受信する機能を付加した例について説明する。【００２１】
ＳＤＩＯカードは、ＳＤメモリーカードの上位互換にあたるカードであり、ＳＤＩＯカードコントローラにワンセグ受信用のモジュール（本明細書ではこれを「ワンセグチューナーモジュール」という。）及び所定の回路を接続することにより、ホスト機器でワンセグの放送電波を受信することができる。【００２２】
カード側は受信部（フロントエンド部）とＳＤＩＯカードコントローラ（これ以降は単に「ＳＤＩＯコントローラ」という。）を具備しており、ホスト機器側はＳＤＩＯホストコントローラとデジタル信号処理部（バックエンド部）を具備している。ＳＤＩＯカード側のフロントエンド部は、ＲＦ部とＯＦＤＭ（直交周波数分割多重）復調部で構成され、ＴＳ（Transport Stream）信号がＳＤバスを介してホスト機器側のバックエンド部に送られ、ここでデジタル信号処理（圧縮されたデジタル信号のデコード等）が行われて動画像が再生される構成となっている。【００２３】
ホストコントローラ及びデジタル信号処理部（バックエンド部）はホスト機器側が通常備えているので、カード側が必要とする構成は、受信部（フロントエンド部）とカードコントローラのみでよく、その分カード側（周辺機器側）の部品実装数が軽減される。以下、図面を参照して本発明の第１の実施形態について説明する。なお、同一の符号は同一の部位を示すものとする。【００２４】
図１（ａ）及び（ｂ）は、本発明の第１の実施形態を説明するための図であり、ＳＤＩＯ端子に接続して用いるＳＤＩＯカード型ワンセグチューナー（以下、「ＳＤワンセグチューナー」という。）のブロックダイアグラムの一例を示している。このうち、図１（ａ）は、ＳＤＩＯカード側の構成を、図１（ｂ）はＳＤＩＯホスト機器側の構成を示している。【００２５】
図１（ａ）に示すように、ＳＤワンセグチューナー１０は、ＳＤＩＯコントローラ１１と、ＥＥＰＲＯＭ１２と、水晶発振器（ＴＣＸＯ）１３と、ワンセグチューナーモジュール１４と、低飽和レギュレータ（ＬＤＯ）１５と、アンテナ制御回路１６と、アンテナ１７から構成される。【００２６】
なお、受信回路（フロントエンド部）１８は、ワンセグチューナーモジュール１４と、低飽和レギュレータ（ＬＤＯ）１５と、アンテナ制御回路１６と、アンテナ１７から構成される。また、ＥＥＰＲＯＭ１２にはワンセグチューナー１０を動作させるために必要なファームウエアー等が記憶される。【００２７】
また、図１（ｂ）に示すように、ホスト機器２０は、ＳＤＩＯホストコントローラ２１とバックエンド部２２から構成され、またバックエンド部のコントローラにはＳＤＲＡＭ２３が接続される。【００２８】
なお、ＳＤＩＯホストコントローラとＳＤＩＯホストコントローラとは、チューナーの制御のため通信は例えばＩ２Ｃシリアルバスが、動画情報の通信はＨ．２６４ＴＳ（Transport Stream）が行っている。なお、Ｈ．２６４とは動画圧縮の通信規格である。【００２９】
図２及び図３は、いずれも本発明の第１の実施形態のワンセグチューナーカードの外観を示す６面図である。図２（ａ）は、カードの平面図、図２は（ｂ）は右側面図、図２は、（ｃ）は正面図を示している。また、図３（ｄ）は、カードの背面図、図３（ｅ）は左側面図、図３（ｆ）は底面図を示している。【００３０】
これらの図に示すように、筐体の後端部にアンテナ収納部３０があるが、アンテナその他の突起物がなく、すっきりとコンパクトにまとめられたデザインである。また、図３（ｄ）の背面図に示すように、カードの背面には外部アンテナ接続コネクター（ＲＦ同軸コネクタースイッチ）３１が設けられている。後述するように、このアンテナ収納部３０の本体内部には平面アンテナが内蔵されているが、屋内で使用する場合など、利用できるときは必要に応じて外部アンテナ接続コネクター３１に外部アンテナを接続することができ、これによって安定して放送電波を受信することができるためである。なお、外部アンテナコネクターに外部アンテナを接続すると内部アンテナは機械的に切断される構造となっている。【００３１】
ＳＤバススロットに接続する端子部分やカードの幅や厚みについてはＳＤカードアソシエーションの定める規格に準拠するものである。但し、カード挿入方向（長さ方向）やカード筐体後端部の形状については特に定めがないため、カード筐体後端部に必要な容積を確保する構造とし、この部分に平面アンテナを内蔵するためのアンテナ収納部３０が設けられているが、この部分があまりに大きいと外観を損なうだけでなく機械的強度も低下するので最小限の大きさに設計することが好ましい。【００３２】
図４（ａ）は、図２（ｃ）におけるＸ−Ｘ断面図であり、本発明に係るワンセグチューナーの内部構造を説明するための図である。特に、基板構成について説明するものである。また、図４（ｂ）は、図４（ａ）の分解図を示している。この図に示すように、内部は２枚のＰＣＢ基板４１，４２が上部ケース４３と下部ケース４４からなる筐体に収められた構造となっている。【００３３】
このうち、第１のＰＣＢ基板４１は部品実装基板であり、例えば厚さ０．３ｍｍのハロゲンフリーＦＲ−４・Ｈｉ−Ｔｇ（high glass transition temperature）の４層基板で構成される。なお、第２層目乃至第４層目は電源ライン、ＴＳ信号ライン、制御信号ラインなどがそれぞれプリント配線される構成とする。【００３４】
図５（ａ）は、第１のＰＣＢ基板４１の正面図を示している。この図に示すように、この基板には、ＳＤＩＯコントローラ、ワンセグチューナーモジュール、ＲＦ同軸コネクタースイッチ３１、等が実装されるが、ＳＤＩＯ端子やアンテナは実装されない。【００３５】
図５（ｂ）は、第２のＰＣＢ基板４２の正面図を示している。この基板は、専らＳＤＩＯ端子及びアンテナを実装するための基板であり、かつ製品全体の強度を確保する役割を担っている。第２のＰＣＢ基板４２は、例えば厚さ０．９ｍｍのハロゲンフリーＦＲ−４の２層基板で構成される。同図に示すように、この回路基板には９ピンのＳＤＩＯ端子５１及びパターンアンテナ５２が金属箔によってプリントされる。【００３６】
また、図５（ｂ）に示すように、基板中央部には矩形状の枠部５３が設けられる。そして、第１のＰＣＢ基板４１に図５（ｂ）に示す第２のＰＣＢ基板４２を重ねると、枠部５３を通して第１のＰＣＢ基板４１に実装された部品が枠部内に収納される。このように２枚の基板を重ね合わせて結合することによって基板強度を大きくしている。【００３７】
また、枠部の端面に沿うように多数の端面スルーホール５４が設けられ、さらに、第１のＰＣＢ基板４１と接続するためのパッド５５がＲＦ同軸コネクタースイッチ３１近傍に設けられる構成となっている。【００３８】
図６は、第２のＰＣＢ基板４２の、第２層目の配線パターンを示している。図５（ｂ）に示す第１層目のパターンと、端面スルーホール５４を介して電気的に接続され、すなわち、第２のＰＣＢ基板４２の表面及び裏面にわたり螺旋状に実装されることにより、パターンアンテナ５２を構成する。これは線状アンテナの一種であり、螺旋状にしているのは長さを稼ぐためである。【００３９】
なお、アンテナの形状は種々のものが考えられ、上述の線状のパターンアンテナに代えて、ループ状のアンテナ（閉ループアンテナ）や表面実装チップアンテナなどで実装してもよい。【００４０】
このように、ＰＣＢ基板を部品実装基板と外部バスインターフェース端子（第１の実施形態ではＳＤＩＯ端子）及びアンテナ実装基板とに分離し、別々の基板に実装して後からこれらを貼り合わせることで、全体の厚みを抑えつつ基板強度を確保することに成功している。
試作品では、上部ケースと下部ケースを含めたスロット挿入部の厚さは、最大２．２３ｍｍ、アンテナ収納部は４．７ｍｍを達成し、かつ、十分な機械的強度を確保していることを確認した。【００４１】
このように、本発明に係る放送電波受信装置は、カードの内部に平面アンテナが内蔵されているため、外部にロッドアンテナを設ける必要がない。そのため、外観及び利便性よく、かつ受信感度も良好である。【００４２】
（第１の実施形態の変形例）
上述の放送電波受信装置は、ＳＤＩＯカードにワンセグ（携帯端末向け地上デジタル放送）を受信する機能を付加するものであったが、外部バスインターフェースがＵＳＢ（ユニバーサル・シリアル・バス）である場合も同様である。ＵＳＢは「カード」ではないが、ホスト機器に周辺機器を接続するためのバスコネクタであり、形状が規格で定められている点でＳＤＩＯカード等と同様に本発明がそのまま適用可能であるので、第１の実施形態の変形例として、以下説明する。【００４３】
図７（ａ）及び（ｂ）は、本発明の第１の実施形態の変形例を説明するための図であり、ＵＳＢ端子に接続して用いるＵＳＢデバイス型ワンセグチューナーのブロックダイアグラムの一例を示している。このうち、図７（ａ）は、カード側（周辺機器側）の構成を、図７（ｂ）はホスト機器側の構成を示している。【００４４】
図１との対比より明らかなように、カード側（周辺機器側）の制御チップが、ＳＤＩＯコントローラ１１からＵＳＢデバイスコントローラ（厳密にはＵＳＢデバイスは必ずしも「カード」ではないので「カードコントローラ」よりも「デバイスコントローラ」という方が適切である。）７１に変更され、一方、ホスト機器側の制御チップ（ホストコントローラ）が、ＵＳＢホストコントローラ８１に変更されているが、それ以外の回路構成は図１と同様である。従って、第１の実施形態に倣って、ＵＳＢカードコントローラ及び放送電波の受信回路を形成する部品を実装した第１のプリント配線回路基板と、外部バスインターフェース端子及び平面アンテナを実装した第２のプリント配線回路基板とを貼り合わせる構成により、ＵＳＢに接続可能なカード型放送電波受信装置が完成する。【００４５】
このように、本発明に係る放送電波受信装置は、外部バスインターフェースの種類を問わず適用することができる。例えば、外部バスインターフェースがＰＣＭＣＩＡインターフェース、カードバスインターフェースなどの場合も同様である。【００４６】
（基板強度増大手段）
量産時における製品の信頼性を一層高めるため、基板強度を一層高める必要がある。アンテナ収納部が大きくなったり、内部回路の都合から装置全体が縦長になればなおさらである。本件発明者らの更なる検討により明らかとなった効果的な基板強度増大手段について説明する。【００４７】
図９（ａ）は、本発明に係る放送電波受信装置１０の外観形状を示すための図である。また、図９（ｂ）は、応力集中により実装部品が破損する様子を模式的に示した図である。図９（ａ）において矢印で図示するように、装置の長手方向を垂直に横切る応力線（Ｘ−Ｘ）上に曲げ応力が集中しやすいことが分かる。なお、応力線（Ｘ−Ｘ）は装置の形状や構造によって位置が異なるが、通常は長手方向のほぼ中央部を垂直に横切るものと想定することができる。【００４８】
そして、このような場合、図９（ｂ）に図示するように、第１のＰＣＢ基板４１に実装された部品のうち、この最も曲げ応力が集中しやすい脆弱部の電子部品が破損したり、実装部品の半田付けを断裂させることが実験により明らかとなった。特に、実装部品がＩＣチップの場合にはＢＧＡ（ボールグリッドアレイ）などの半田付けが施されているが、これらの部分に応力が加わると容易に断裂する。【００４９】
図１０（ａ）、（ｂ）及び図１１（ａ）、（ｂ）は、いずれも基板強度増大手段の実施例を説明するための図である。【００５０】
−第１の手段−
この問題に対する第１の対策は、図１０（ａ）に示すように、第１のＰＣＢ４１の長手方向の中心部分に部品搭載禁止領域Ｉを設け、部品の実装はこれ以外の部分（これを「部品搭載可能領域ＩＩ」という。）に実施することである。【００５１】
図１０（ｂ）は、第１のプリント配線回路基板４１に部品を実装した様子を示す図である。実装される電子部品等はいずれも部品搭載禁止領域Ｉの両側、すなわち部品搭載可能領域ＩＩの内側に設けられていることが分かる。このように実装すると、実装部品にストレスがかかることを防止できる。【００５２】
−第２の手段−
この問題に対する第２の対策は、図１１（ａ）に示すように、第１のＰＣＢ基板４１と第２のＰＣＢ基板４２の接合部分を、長手方向中央部を垂直に横切る応力線（Ｘ−Ｘ）の両側に設けることである。第２の対策は第１の対策に加えて更に実施することができる。【００５３】
第１のＰＣＢ基板と第２のＰＣＢ基板上の接合は、半田付けなどによって行うことができるが、この場合、長手方向中央部を垂直に横切る応力線（Ｘ−Ｘ）の両側に２箇所ずつ（対向する一対で少なくとも４箇所）、半田付けを実施する。これにより、脆弱部となる応力線Ｘ−Ｘ上で上下２枚の基板が確実に結合され、全体的な基板強度が向上する。【００５４】
−第３の手段−
一方、部品の多くがチップ化されて部品点数が少なくなると、チップ面積が大きくなり、回路配置の自由度が無くなってくる。このような実装上の都合から、部品搭載禁止領域を設けることができない場合もある。【００５５】
このように、第１のＰＣＢ基板上に部品搭載禁止領域Ｉを横切って大面積のチップが搭載される場合には、第２のＰＣＢ基板に脆弱部を補強するための拡幅領域を設けるとよい。【００５６】
図１１（ｂ）は、大面積のチップ１１０が第１のＰＣＢ基板上に部品搭載禁止領域Ｉを横切って配置され、第２のＰＣＢ基板に脆弱部を補強するための拡幅領域ＩＩＩを設けた様子を示している。このような構成によると曲げ応力が集中する部位の拡散と共に、基板強度をより一層高めることができる。【００５７】
（第２の実施形態）
第１の実施形態及びその変形例は、チューナーコントロール信号を除けば、ＴＳ（Transport Stream）信号が専ら外部バスインターフェース（ＳＤバスやＵＳＢ等）を通じてカード側（周辺機器側）からホスト側に伝達されるのみであり、この意味においてすなわち放送電波を「視聴」する機能のみを実現するものであった。【００５８】
しかし、カード側（周辺機器側）の構成に更にメモリーデバイスを追加すると、ホスト機器側に伝送されるＴＳ信号を分岐してカード側（周辺機器側）に設けたこのメモリーデバイスにおいてＴＳ信号のデジタル情報を記録したり、再生したりすることができる。以下、具体例を示して説明する。【００５９】
図８は、本発明の第２の実施形態について説明するための図であり、外部バスインターフェースをＵＳＢとした場合の、カード側（周辺機器側）デバイス９０のブロックダイアグラムの一例を示している。なお、ホスト機器側の構成は図７（ｂ）と同様であるので省略する。また、２枚のＰＣＢ基板を用いた実装についても第１の実施形態に倣ってその説明を省略する。【００６０】
図７（ａ）との相違点は、ＵＳＢデバイスコントローラ７１にメモリーデバイス９１が接続されているという点である。メモリーデバイスの接続は、具体的には、ＵＳＢデバイスコントローラ７１が備えるメモリインターフェース（これはコントローラの内部インターフェースであるため図示は省略する）に接続するだけでよく、かつ、メモリーデバイスの実装も特に困難なものでもない。なぜならＵＳＢデバイスが、「ＵＳＢメモリー」に代表されるようにストレージデバイスとしての構成を取りうることは周知技術だからである。これは、外部バスインターフェースがＵＳＢからＳＤバスに変わっても同様である。【００６１】
このような構成において、例えば、録画開始、終了、再生、早送り、巻き戻し、一時停止などの機能はホスト機器側とカードデバイス側との間で、予めプロトコルを定めておく必要があるが、そのためにはデバイスコントローラ（カードコントローラ）とホストコントローラとの間で予め数種類のコマンドを定義しておけばよい。必要に応じてデバイスコントローラがマイコンなどを搭載していてもよい。【００６２】
このように、カード側（周辺機器側）デバイスがデータ保存用のメモリーデバイスを備えていると、ホスト機器のバックエンド部に送られるデータを、このメモリーデバイスに記録できるようになる。特に、近年の半導体メモリーは記憶容量は大容量化しているので、例えば数ギガバイトもあれば、動画像データのような大容量のデータであっても、十分に実用レベルの録画機能を実現することが可能となる。【００６３】
なお、不揮発性メモリーを備えるにはいくつかの方法が考えられる。最も単純な方法は、第１のＰＣＢ基板に直接フラッシュメモリーのチップを実装することであるが、この場合、記憶容量に限界があり、メモリーを交換することができないので、利便性の点で劣る。そこで、メモリーデバイスの種類に応じたメモリーインターフェースをカードコントローラ（デバイスコントローラ）が備えると共に、第１のＰＣＢ基板にメモリーカードスロットを搭載し、カード型のメモリーデバイス（メモリーカード）を挿脱できるように構成すると利便性が高まる。【００６４】
なお、メモリーカードの種類は特に限定されるものではないが、例えば、Ｍｉｎｉ−ＳＤやＭｉｃｒｏ−ＳＤカードなど比較的小型のメモリーカードが扱いやすい。例えば、ＵＳＢとＳＤバスのプロトコル変換エンジンを備えたＵＳＢ−ＳＤデバイスコントローラなどは市販されている。従って、これを用いると、チューナーからのＴＳ信号をホスト機器側に伝送する一方で、デバイスコントローラでＴＳ信号を分岐してＳＤメモリーインターフェースを介してＭｉｎｉ−ＳＤやＭｉｃｒｏ−ＳＤカードを接続することは容易に実現可能である。【００６５】
また、実施形態では、ＳＤＩＯカード又はＵＳＢに接続するワンセグチューナーの例を説明したが、ＰＣＢ基板を２層用いて実装することや、第２のＰＣＢ基板に平面アンテナを実装することは、特にワンセグ放送に限られるものではなく、ＦＭ放送その他の放送電波を受信する場合であっても、当然に適用される。その場合、受信する電波の周波数等によって所定のアンテナ形状が選択されることはいうまでもない。また、情報端末装置との外部バスインターフェースとして、ＳＤＩＯカードを用いた場合とＵＳＢデバイス（カード）を用いた場合について説明したが、これら以外の他のインターフェースカードでも同様である。
【産業上の利用可能性】
【００６６】
本発明に係る放送電波受信装置は基板強度の確保を高めつつ高感度の平面アンテナを装置本体に内蔵することができるため、ロッドアンテナ等の外部アンテナが不要となり、外観性及び利便性が高められる。また、カード側（周辺機器側）デバイスがメモリーデバイスを搭載していると、ホスト機器側で再生されるデータを記録することができるので、製品としての付加価値を一層高めることができる。従って、本発明の産業上の利用可能性は大きい。
【図面の簡単な説明】
【００６７】
【図１】図１（ａ）及び（ｂ）は、本発明の第１の実施形態を説明するための図であり、ＳＤＩＯカード型ワンセグチューナーのブロックダイアグラムの一例を示している。
【図２】図２（ａ）乃至図２（ｃ）は、本発明の第１の実施形態のワンセグチューナーカードの外観を示しており、図２（ａ）は、カードの平面図、図２は（ｂ）は右側面図、図２は、（ｃ）は正面図を示している。
【図３】図３（ｄ）乃至図３（ｆ）は、本発明の第１の実施形態のワンセグチューナーカードの外観を示しており、図３（ｄ）は、カードの背面図、図３（ｅ）は左側面図、図３（ｆ）は底面図を示している。
【図４】図４（ａ）は、図２（ｃ）におけるＸ−Ｘ断面図であり、本発明に係るワンセグチューナーの内部構造を説明するための図である。図４（ｂ）は、図４（ａ）の分解図を示している。
【図５】図５（ａ）は、第１のＰＣＢ基板４１の正面図を示している。図５（ｂ）は、第２のＰＣＢ基板４２の正面図を示している。
【図６】図６は、第２のＰＣＢ基板４２の、第２層目の配線パターンを示している。
【図７】図７（ａ）及び（ｂ）は、本発明の第１の実施形態の変形例を説明するための図であり、ＵＳＢデバイス型ワンセグチューナーのブロックダイアグラムの一例を示している。このうち、図７（ａ）は、カード側（周辺機器側）の構成を、図７（ｂ）はホスト機器側の構成を示している。
【図８】図８は、本発明の第２の実施形態について説明するための図であり、外部バスをＵＳＢとした場合の、カード側（周辺機器側）デバイスのブロックダイアグラムの一例を示している。
【図９】図９（ａ）は、本発明に係る放送電波受信装置１０の外観形状を示すための図である。また、図９（ｂ）は、応力集中により実装部品が破損する様子を模式的に示した図である。
【図１０】図１０（ａ）及び（ｂ）は、基板強度増大手段の実施例を説明するための図である。
【図１１】図１１（ａ）、（ｂ）は、基板強度増大手段の実施例を説明するための図である。
【符号の説明】
【００６８】
１０  放送電波受信装置
２０  ホスト機器
３０  アンテナ収納部
３１  外部アンテナ接続コネクター（ＲＦ同軸コネクタースイッチ）
４１  第１のＰＣＢ基板
４２  第２のＰＣＢ基板
【図１】
2008038756.tif 000003
【図２】
2008038756.tif 000004
【図３】
2008038756.tif 000005
【図４】
2008038756.tif 000006
【図５】
2008038756.tif 000007
【図６】
2008038756.tif 000008
【図７】
2008038756.tif 000009
【図８】
2008038756.tif 000010
【図９】
2008038756.tif 000011
【図１０】
2008038756.tif 000012
【図１１】
2008038756.tif 000013
【国際調査報告】
2008038756.tif 000014
2008038756.tif 000015
2008038756.tif 000016